(57)【要約】【課題】コンパクトで、かつ使い勝手のよい櫛付きキャップを提供すること。【解決手段】スクイズ性を有する容器本体の上部口部に取り付けられる櫛付きキャップにおいて、開口孔を有する櫛歯を複数備えた櫛歯部をキャップ体の中心からずらした位置に、回動自在に取り付け、かつ櫛歯部を所定の回動位置で係止させる係合部材を設けた。これにより、櫛付きキャップを組み付けた櫛付き容器を収納した時に小型化でき、かつ櫛歯部をキャップ体に対して回動させることにより、櫛歯を容器本体から外方に突出させて固定することができ、容易に頭髪を梳くことができ、しかも容易に内容液を塗布できる使い勝手の良い櫛付き容器を提供できる。【選択図】  図１
2005021273.tif 000002
【特許請求の範囲】
【請求項１】
容器本体の口部に組み付けられる有蓋円筒状のキャップ体と、該キャップ体の上面に回動自在に設けられた櫛歯部とからなる櫛付きキャップにおいて、
前記キャップ体の頂壁上に該頂壁の中心からずらして支持筒を設け、該支持筒の外周面に半周以上にわたる凹部を周状に形成し、更に該凹部内に、該支持筒の中心軸に対して対向させて第一突部と第二突部とを設け、
先端を前記容器本体の側方に向けた、該先端部から前記櫛歯部内に連通した連通通路を内部に備えた複数の櫛歯を備え、前記支持筒の外周に基部が回動自在に組み付けられ、該基部の内周面に、前記第一突部及び前記第二突部に乗り越え可能に係止されるとともに前記櫛歯の先端を前記容器本体の内方に向けた収納状態で前記第一突部と前記凹部の端部にて係止され、前記櫛歯の先端を前記収納状態から前記容器本体の外方に向けるにしたがい前記第一突部及び前記第二突部を乗り越え、該第二突部と前記凹部の他方の端部にて係止され、使用状態を保持する突部を備えて前記櫛歯部を形成し、
更に前記支持筒外周面に、前記櫛歯部の内面に液密、かつ回動自在に嵌合する周状の突条を前記凹部の下方に設けたことを特徴とする櫛付きキャップ。
【請求項２】
容器本体の口部に組み付けられる有蓋円筒状のキャップ体と、該キャップ体の上面に回動自在に設けられた櫛歯部とからなる櫛付きキャップにおいて、
前記キャップ体の頂壁上に該頂壁の中心からずらして支持筒を設け、該支持筒の外周面に係合部を形成し、
前記支持筒の内周面に液密、かつ回動自在に基部を組み付け、先端を前記容器本体の側方に向けた、該先端部から前記基部内に連通した連通通路を内部に備えた複数の櫛歯を備え、更に前記櫛歯の先端を前記容器本体の外方に向けた使用状態で前記係合部に係合して前記櫛歯の向きを保持する突部を備えて前記櫛歯部を形成したことを特徴とする櫛付きキャップ。
【発明の詳細な説明】
【０００１】
【発明の属する技術分野】
本発明は、櫛歯に設けられた開口孔から内容液を注出させる櫛付きキャップに関し、櫛付きキャップを備えた櫛付き容器の収納時の大きさを小型化し、更に頭髪を梳くときの使い勝手を向上させた櫛付きキャップに関する。
【０００２】
【従来の技術】
櫛付きキャップは、連通孔を内部に有する複数の櫛歯をキャップ体に立設し、キャップ体を容器本体の口部に組み付け、容器本体内に収容されている例えば白髪染め液、ヘアマニキュア、整髪料等の内容液を櫛歯に設けられた開口から吐出させ、櫛歯で頭髪を梳かすと櫛歯に吐出された内容液が頭髪に塗布されるようになっている。（例えば、特許文献１参照）。
【０００３】
【特許文献１】
特開２００２−２２３８４１号公報。
【０００４】
【発明が解決しようとする課題】
しかしながら従来の櫛歯を横方向に向けた櫛付き容器の場合、櫛歯部を容器本体の中心部分に取り付けると、櫛歯が容器本体から側方に充分に突出せず、頭皮まで櫛歯の先端が到達しないことがあった。
【０００５】
また、櫛歯を容器本体の中心からずらして側方に取り付けた場合には、櫛歯が容器本体から側方に突出するため上記問題は解決するが、容器本体から突出した櫛歯が容器本体全体を大型化させ、保管、運搬時等に支障が生じることがあった。
【０００６】
本発明は、櫛付き容器を保管、運搬するときなどは小さくでき、使用するときは櫛歯が容器本体から側方に突出して、使い勝手のよい櫛付きキャップを提供することを目的とする。
【０００７】
【課題を解決するための手段】
本発明では、上記課題を解決するため次のように櫛付きキャップを構成した。
【０００８】
請求項１に記載の発明は、容器本体の口部に組み付けられる有蓋円筒状のキャップ体と、該キャップ体の上面に回動自在に設けられた櫛歯部とからなる櫛付きキャップにおいて、
前記キャップ体の頂壁上に該頂壁の中心からずらして支持筒を設け、該支持筒の外周面に半周以上にわたる凹部を周状に形成し、更に該凹部内に、該支持筒の中心軸に対して対向させて第一突部と第二突部とを設け、
先端を前記容器本体の側方に向けた、該先端部から前記櫛歯部内に連通した連通通路を内部に備えた複数の櫛歯を備え、前記支持筒の外周に基部が回動自在に組み付けられ、該基部の内周面に、前記第一突部及び前記第二突部に乗り越え可能に係止されるとともに前記櫛歯の先端を前記容器本体の内方に向けた収納状態で前記第一突部と前記凹部の端部にて係止され、前記櫛歯の先端を前記収納状態から前記容器本体の外方に向けるにしたがい前記第一突部及び前記第二突部を乗り越え、該第二突部と前記凹部の他方の端部にて係止され、使用状態を保持する突部を備えて前記櫛歯部を形成し、
更に前記支持筒外周面に、前記櫛歯部の内面に液密、かつ回動自在に嵌合する周状の突条を前記凹部の下方に設けて櫛付きキャップを構成した。
【０００９】
これにより、櫛歯の先端を容器本体の中心方向に向けたときは、第一突部に突部が係合して櫛歯部の回転が保持され収納状態での櫛付き容器を小さくでき、一方櫛歯部を外方に向けて回動させると突部は第一突部を容易に乗り越え回動し、第二突部に係合して櫛歯の先端を容器本体の外方に向けた使用状態で固定し、容器本体から櫛歯を突出させて、良好な使い勝手の櫛付き容器を提供できる。また、突条が液密に、かつ回動自在に支持筒外周面に嵌合しているので、回転部分から液漏れ等を引き起こすことがない。
【００１０】
請求項２に記載の発明は、容器本体の口部に組み付けられる有蓋円筒状のキャップ体と、該キャップ体の上面に回動自在に設けられた櫛歯部とからなる櫛付きキャップにおいて、
前記キャップ体の頂壁上に該頂壁の中心からずらして支持筒を設け、該支持筒の外周面に係合部を形成し、
前記支持筒の内周面に液密、かつ回動自在に基部を組み付け、先端を前記容器本体の側方に向けた、該先端部から前記基部内に連通した連通通路を内部に備えた複数の櫛歯を備え、更に前記櫛歯の先端を前記容器本体の外方に向けた使用状態で前記係合部に係合して前記櫛歯の向きを保持する突部を備えて前記櫛歯部を形成して櫛付きキャップを構成した。
【００１１】
これにより、櫛歯部を回動させた際、突部が係合部に係合するため櫛歯部を容器本体の外方に向けて確実に保持固定することができる。
【００１２】
【発明の実施の形態】
本発明にかかる櫛付きキャップの一実施形態を、図面を参照しながら説明する。
【００１３】
図７に、櫛付きキャップ２を容器本体４に取り付けた櫛付き容器１の全体を示す。
【００１４】
容器本体４は、合成樹脂製の円筒状容器で、適度な押圧力で変形、復元するスクイズ性を備え、上部には外周に螺旋状の突条が設けられた口部１０（図１参照）が開口している。
【００１５】
櫛付きキャップ２は図１に示すように、有蓋円筒状のキャップ体８とキャップ体８に設けられた櫛歯部６とからなり、キャップ体８の外周壁内面に形成された螺条により口部１０の外周に螺合している。
【００１６】
キャップ体８の頂壁１２上には円筒状の支持筒１３が、キャップ体８の内部に連通して、かつ頂壁１２の中心からずらした位置に設けてある。支持筒１３には、下方に突条１４が周状に形成してあり、また突条１４の上部に図４に示す係合部としての係合凹部１５が設けられている。
【００１７】
係合凹部１５は、支持筒１３の半周を少し越えた範囲にわたって周状に形成された溝であり、係合凹部１５の内部には第一突部１６と第二突部１８とが支持筒１３の中心を挟んでほぼ対向した位置に形成されている。第一突部１６は、半球状の突起で、突起の頂部はあまり高く形成されていない。第二突部１８は、矩形の突起で、第一突部１６側は緩やかな傾斜の立ち上げ壁１７であり、立ち上げ壁１７に対向した側にはほぼ垂直な立ち上げ壁１９が形成されている。
【００１８】
櫛歯部６は、図１に示すように円筒状の基台２０と基台２０に設けられた櫛歯２６からなり、支持筒１３の外周に基台２０の基部が液密、かつ回動自在に嵌合している。また櫛歯２６は、基台２０の上下に一体に形成された枠櫛歯２２と、枠櫛歯２２の間に嵌めこまれた組付櫛歯２４から形成されている。
【００１９】
また基台２０の基部の内側面には、支持筒１３の突条１４に嵌合する周状の凹条２１が形成してあり、凹条２１の上方には係合凹部１５内に係合する突部２３（図４参照。）が形成してある。突部２３は、図４に示すように一方の側に傾斜が緩い立ち上げ壁２５が形成され、これに対向する壁２７はほぼ垂直に立ち上げられている。この突部２３と第一突部１６、もしくは第二突部１８とが嵌合することにより、櫛歯２６の先端が図１に示すようにキャップ体８の中心を向いた収納状態と、図２に示すように櫛歯２６の先端がキャップ体８の外方に向いた使用状態のそれぞれで保持される。
【００２０】
櫛歯２６は、図３及び図６に示すように木の葉状で、更に枠櫛歯２２間の上から２枚目から５枚目までの組付櫛歯２４には一方の側の縁を切り欠いた切欠き３１が左右交互に現れるように形成してある。
【００２１】
各組付櫛歯２４は一体に形成され、更に各櫛歯の内部に一端が基台２０の内部に通じ、他端が組付櫛歯２４の先端付近に形成された開口孔３３に連通している連通通路３２が形成されている。
【００２２】
次に、櫛付きキャップ２の作用について説明する。
【００２３】
櫛付きキャップ２は、白髪染め液などの内容液が収納された容器本体４の口部１０に螺合してあり、白髪染め液等を塗布する櫛付き容器１を構成する。保管時の櫛付き容器１は、櫛歯２６の先端を図７に示すように容器本体４の中心方向に向けてあり、櫛歯２６が容器本体４の側方に大きくはみ出すことがなく、収納状態の櫛付き容器１を小さくできる。またそのとき、図４に示すように突部２３が第一突部１６に係合し、櫛歯部６が容易に回転しないように保持される。
【００２４】
内容液を頭髪に塗布するときは、櫛歯部６を回動させ、櫛歯２６の先端を容器本体４の外側方向に向ける。するとまず突部２３は、立ち上げ壁２５が緩い傾斜となっていることから、第一突部１６を少しの抵抗で乗り越え、ほぼ１８０°回転したとき第二突部１８を乗り越える。第二突部１８を乗り越えると係合凹部１５の端部に当り、かつ第二突部１８と突部２３とが双方ともほぼ垂直に立ち上げられた面同士で対面することから、櫛付き容器１の使用状態で櫛歯部６は正逆いずれの方向への回転も係止される。
【００２５】
このように櫛歯２６の先端を容器本体４の外方に向けると、櫛歯部６は容器本体４から突出した状態で第二突部１８と突部２３により固定される。
【００２６】
そして、容器本体４の側面を押圧すると内容液が組付櫛歯２４の開口孔３３から注出される。開口孔３３から内容液が注出されたら、そのまま櫛付き容器１で頭髪を梳くことにより白髪染め液などが頭髪に付着される。
【００２７】
更に組付櫛歯２４は、切欠き３１が形成され側面が内方に湾曲しているため、頭髪を梳いたとき頭髪の流れを良好にでき、また頭髪の掴みと内容液の保持力が向上し、内容液を確実に頭髪に付着できる。また、組付櫛歯２４の湾曲は、櫛歯部６の左右両面に有していることから、櫛付き容器１をいずれの方向に移動させて梳いた場合でも上記効果が得られる。
【００２８】
次に、櫛付きキャップの他の例を説明する。
【００２９】
この櫛付きキャップ４０は、図８に示すようにキャップ体４２と櫛歯部４４とからなり、キャップ体４２の頂壁４３上に支持筒４６が頂壁４３の中心からずらして設けてある。支持筒４６は円筒状で、内周面に凹条４７が周状に形成され、外周面には図１０に示すように係合突部４８が形成されている。
【００３０】
櫛歯部４４は、基台５１と、基台５１に固定された櫛歯体５２から構成されている。基台５１は、上部が垂直に折曲された円筒状の保持筒体５３と、保持筒体５３の折曲した端面に取り付けられた取付枠５５からなっている。保持筒体５３は基部が、支持筒４６の内面に回動自在に取り付けてあり、支持筒４６に形成された凹条４７に対応する突条５７を外周に有し、両者が嵌合して液密が保持されている。
【００３１】
取付枠５５は、保持筒体５３を介してキャップ体４２の内部に連通し、周囲に立片５９を備えている。また、取付枠５５の下部外方には図１０に示すように支持筒４６に向けて突部５８が設けてあり、櫛歯部４４を１８０°回動させ櫛歯５４の先端を容器本体４の外方に向けると、図９に示すように突部５８が係合突部４８に嵌合する。
【００３２】
櫛歯基板５６上には、図１０、図１１に示すように扁平な櫛歯５４が複数植設されており、櫛歯基板５６の周囲の取付溝６０が取付枠５５の立片５９に液密に嵌合している。櫛歯５４は、２列で、更にその外側に副櫛歯６１が図１１に示すように設けられている。
【００３３】
櫛歯５４は、上下端の櫛歯５４以外には、内部に連通通路３２が形成され、先端の開口孔３３と取付枠５５の内部が連通している。副櫛歯６１は、先端に向けて若干細くなった円柱状で、櫛歯５４とほぼ同じ長さとなっている。
【００３４】
かかる櫛付きキャップ４０を取り付けた櫛付き容器は、上記櫛付き容器１と同様容器本体４の中心方向に櫛歯５４の先端を向けてコンパクトに収納でき、また櫛歯５４の先端を容器本体４の外方に向けると、突部５８が係合突部４８に係合して、櫛歯５４を側方に突出させた使用状態で容器本体４に固定でき、使い勝手を良好にできる。
【００３５】
また、副櫛歯６１を櫛歯５４の両側に設けたことから、いずれの方向に梳いたときでも副櫛歯６１が頭髪を分け、櫛歯５４の厚みにかかわらず効率よく頭髪を梳くことができ、また注出された内容液を副櫛歯６１が保持し、内容液を無駄なく頭髪に塗布できる。
【００３６】
櫛付きキャップの他の例について説明する。
【００３７】
この櫛付きキャップ７０は、図１２、図１３に示すように、ほぼ三角形状の断面を有する櫛歯７２を外側に頂点を向けて千鳥足状に交互に配し、かつ櫛歯７２の長さより若干短く形成された副櫛歯７４を、櫛歯７２の最外端より外側で、各櫛歯７２の中間位置に配置した。
【００３８】
この櫛付きキャップ７０を取り付けた櫛付き容器によれば、櫛歯７２の外方が図１３に示すように狭められていることから、頭髪を梳きやすく、しかも櫛歯７２の尖頭の逆側が平坦であるが、副櫛歯７４が設けられていることから、副櫛歯７４により頭髪を分け、櫛歯７２の逆方向、つまり平坦な側からの移動も抵抗が少なく、頭髪を円滑に梳くことができる。
【００３９】
更に、櫛付きキャップの他の例について説明する。
【００４０】
図１４に示す櫛付きキャップ８０は、狭めた一方の側面をそれぞれ外方に向けて、かつ左右同一の高さにして２列に櫛歯７２を配置した。また副櫛歯７４を、各櫛歯７２の先方に設けた。その他の構成は、上述した例とほぼ同一である。
【００４１】
この櫛付きキャップ８０によれば、副櫛歯７４が各櫛歯７２の前方に設けられていることから、頭髪を梳くと副櫛歯７４によって頭髪が分けられるので、頭髪を円滑に梳くことができる。
【００４２】
また図１５に示す櫛付きキャップ９０は、端部の一方側が尖頭となった櫛歯７２を千鳥足状に取り付け、櫛歯７２と同じ縦方向の取り付け線上の各櫛歯７２の間に副櫛歯７４を取り付けた。このように櫛歯７２と副櫛歯７４とを一列に配列すると、かかる櫛付きキャップ９０を取り付けた櫛付き容器で頭髪を梳いたとき、櫛歯７２は先端が尖っているため、円滑に梳くことができ、かつ平坦な側に副櫛歯７４が設けられていることから、副櫛歯７４で頭髪が分けられ円滑に梳くことができ、また副櫛歯７４により内容液が保持され、内容液を頭髪に効率よく付着させることができる。
【００４３】
【発明の効果】
本発明の櫛付きキャップによれば、櫛歯部を容器本体の中心からずらして回動自在に設け、更に係合部により櫛歯の回動を所定の位置で係止できることにより、櫛歯の向きを容器本体の中心方向から外側方向に回動できるので、中心方向に向けることにより収納時の大きさをコンパクトにでき、外側方向に向けることにより、櫛歯を容器本体から突出させ、かつ櫛歯を容器本体に固定して安定した使用状態にでき、使い勝手を向上できる。
【図面の簡単な説明】
【図１】本発明にかかる櫛付きキャップの一実施形態を示す一部縦断面図である。
【図２】本発明にかかる櫛付きキャップを示す一部縦断面図である。
【図３】本発明にかかる櫛付きキャップを示す平面図である。
【図４】本発明にかかる櫛付きキャップのＡ−Ａ線断面図である。
【図５】本発明にかかる櫛付きキャップのＢ−Ｂ線断面図である。
【図６】本発明にかかる櫛付きキャップを示す斜視図である。
【図７】本発明にかかる櫛付き容器を示す側面図である。
【図８】櫛付きキャップの他の実施形態を示す一部縦断面図である。
【図９】図８に示す櫛付きキャップの一部縦断面図である。
【図１０】図８に示す櫛付きキャップのＤ−Ｄ線断面図である。
【図１１】図８に示す櫛付きキャップの正面図である。
【図１２】櫛付きキャップの他の実施形態を示すＥ−Ｅ線断面図である。
【図１３】図１２に示す櫛付きキャップの正面図である。
【図１４】櫛付きキャップの他の実施形態を示す正面図である。
【図１５】櫛付きキャップの他の実施形態を示す正面図である。
【符号の説明】
１  ；  櫛付き容器
２、４０、７０、８０  ；  櫛付きキャップ
４  ；  容器本体
６  ；  櫛歯部
８  ；  キャップ体
１０；  口部
１２；  頂壁
１３；  支持筒
１４；  突条
１５；  係合凹部
１６；  第一突部
１７；  壁
１８；  第二突部
１９；  壁
２０；  基台
２１；  凹条
２２；  枠櫛歯
２３；  突部
２４；  組付櫛歯
２５；  壁
２６；  櫛歯
２７；  壁
３１；  切欠き
３２；  連通通路
３３；  開口孔
【図１】
2005021273.tif 000003
【図２】
2005021273.tif 000004
【図３】
2005021273.tif 000005
【図４】
2005021273.tif 000006
【図５】
2005021273.tif 000007
【図６】
2005021273.tif 000008
【図７】
2005021273.tif 000009
【図８】
2005021273.tif 000010
【図９】
2005021273.tif 000011
【図１０】
2005021273.tif 000012
【図１１】
2005021273.tif 000013
【図１２】
2005021273.tif 000014
【図１３】
2005021273.tif 000015
【図１４】
2005021273.tif 000016
【図１５】
2005021273.tif 000017